(57)【特許請求の範囲】
【請求項１】
支持部材の上端に前傾方向または後傾方向へ角度調節自在に取り付けられた本体の縦方向に案内通路が形成され、該案内通路に上方からスライド自在に挿入される長尺の挿通片を有する上方押え部材が設けられ、さらに前記本体の案内通路には前記上方押え部材の挿通片を押圧することによって摩擦抵抗を生じさせる弾性片が設けられ、また前記上方押え部材の上部と前記本体の下部とに所定幅の隙間を有する押え片が形成されたことによって、前記上下の押え片の隙間に収納した表示物の高さに応じて前記上方押え部材をスライドさせると共に該上方押え部材の停止状態を保持するようにした表示用ホルダーであって、前記上方押え片の天部と前記下方押え片の底部に段差が形成されたことによって、表示物の上端は前記上方押え片または該上方押え片の段差により挟持し、表示物の下端は前記下方押え片または該下方押え片の段差により挟持することで、前記本体に載置された表示物を厚さに応じて挟持するようにしたことを特徴とする表示用ホルダー。
【請求項２】
前記本体の下方押え片の下部に表示ケースの挿入片を掛止する挿入穴が形成されたことを特徴とする請求項１記載の表示用ホルダー。
【請求項３】
前記本体の下方の挿入穴に突出片が形成され、該突出片が前記表示ケースの挿入片に設けられた嵌合穴に嵌合されることによって該表示ケースの脱落を防止するようにしたことを特徴とする請求項１または２記載の表示用ホルダー。
【発明の詳細な説明】
【０００１】
【発明の属する技術分野】
本発明は、商店等において支柱に設けられたホルダーに表示パネルまたは所定ページを開けた雑誌等を縦状または傾斜状に保持する表示用ホルダーに関するものである。
【０００２】
【従来の技術】
商店等においては、様々な表示パネルを表示することにより訪問客に対するサービスを行うようにしている。このようなサービスの中には、例えば料理の材料となる商品の販売促進を図るために、その材料の調理方法を説明した表示パネルを表示することが行われている。
【０００３】
このような表示パネルを表示するには、様々の大きさの表示パネルを確実に保持すると共に表示パネルの取り替えを容易にするため、上下の保持幅を可変とすることによってこれに対処するようにした表示用ホルダーが開発されている。
【０００４】
【発明が解決しようとする課題】
ところで、近年になって雑誌の普及に伴い、雑誌によって商品を案内したり、料理雑誌等の特定の掲載ページを表示することが行われるようになっている。この場合、所定ページを開けた状態で雑誌の上下を保持する必要がある。
【０００５】
ところが、そのようにページを開けた状態の雑誌を縦状または傾斜状に立てると開けたページが不安定になってページがばらばらになったり、表示用ホルダーから落下するという不都合があった。
【０００６】
本発明は、このような事情に鑑みてなされたもので、様々な大きさの表示パネルあるいは所定ページを開いた雑誌等を縦状または傾斜状に確実に保持するようにした表示用ホルダーを提供することを目的とするものである。
【０００７】
【課題を解決するための手段】
以上の目的を達成するために、請求項１の表示用ホルダーは、支持部材の上端に前傾方向または後傾方向へ角度調節自在に取り付けられた本体の縦方向に案内通路が形成され、該案内通路に上方からスライド自在に挿入される長尺の挿通片を有する上方押え部材が設けられ、さらに前記本体の案内通路には前記上方押え部材の挿通片を押圧することによって摩擦抵抗を生じさせる弾性片が設けられ、また前記上方押え部材の上部と前記本体の下部とに所定幅の隙間を有する押え片が形成されたことによって、前記上下の押え片の隙間に収納した表示物の高さに応じて前記上方押え部材をスライドさせると共に該上方押え部材の停止状態を保持するようにした表示用ホルダーであって、前記上方押え片の天部と前記下方押え片の底部に段差が形成されたことによって、表示物の上端は前記上方押え片または該上方押え片の段差により挟持し、表示物の下端は前記下方押え片または該下方押え片の段差により挟持することで、前記本体に載置された表示物を厚さに応じて挟持するようにしたことを特徴とする。
【０００９】
また、本発明の請求項２の表示用ホルダーは、請求項１において、前記本体の下方押え片の下部に表示ケースの挿入片を掛止する挿入穴が形成されたことを特徴とする。
【００１０】
さらに、本発明の請求項３の表示用ホルダーは、請求項１または２において、前記本体の下方の挿入穴に突出片が形成され、該突出片が前記表示ケースの挿入片に設けられた嵌合穴に嵌合されることによって該表示ケースの脱落を防止するようにしたことを特徴とする。
【００１１】
【発明の実施の形態】
以下、本発明の実施例について図面を参照しながら説明する。
【００１２】
本発明による表示用ホルダー１は、図１に示すように、支持部材（支柱２）に角度調節自在に取り付けられた本体３の縦方向に案内通路４、４（図５（ａ）  参照）が形成され、該案内通路４、４に上方からスライド自在に挿入される長尺の挿通片５、５を有する上方押え部材６が設けられ、さらに本体３の案内通路４、４には上方押え部材６の挿通片５、５を押圧することによって摩擦抵抗を生じさせる弾性片７、７が設けられ、また上方押え部材６の上部と本体３の下部とに所定幅の隙間８を有する押え片９ａ、９ｂが形成されたものである。
【００１３】
このような表示用ホルダー１について詳細に説明すると、図２に示すように、支持部材としては支柱２が使用され、該支柱２は支持板１１（例えば、図１に示すように円形の支持板）の中央に垂直状に固定されたスタンド支柱１２の内部に上方から伸縮自在に支柱部材２ａを挿通して成り、スタンド支柱１２の上端に設けられたストッパ１３により支柱２の高さ調整を固定するようにしている。
【００１４】
支柱２の上端は本体３の背面に形成された突出状の支持片１４に回動自在に枢着されると共に、該支持片１４と支柱２の上端との枢着部１５を蝶ネジ１６によって締付けることにより、本体３を前傾方向または後傾方向へ角度調整自在にすると共に所定の傾斜角度を固定状態にすることができる。
【００１５】
本体３は、図３（ａ）  に示すように、全体が縦に長い矩形を有する平板状の表面を有し、その両側に意匠性を考慮して設けられた湾曲状の翼片３ａ、３ａが形成されている。また、本体３の下部には横長の下方押え片９ｂが形成されている。
【００１６】
なお、本体３の上方表面にはシリコン状の弾性及び粘着性を有する滑止突起２９が固着され、上下の押え片９ａ、９ｂ間に保持された表示物１０の横方向の滑り止を行うようにしている。
【００１７】
下方押え片９ｂの底部には横長であって所定幅の隙間を有する段差１７ｂが形成され、この下方の段差１７ｂが上方押え片９ａの天部に形成された段差１７ａに対応して、段差の数だけ厚さの異なる表示物を挟持することができるようにしている。
【００１８】
ただし、上下の押え片９ａ、９ｂの段差１７ａ、１７ｂは、各図のように２段に限定されるものではなく、１段または３段以上の段差に形成することにより、挟持すべき表示物１０の厚さに対応できるようにしてもよい。
【００１９】
また、図４に示すように、本体３の背面には両側縦方向に案内通路４、４が形成されている。この案内通路４、４は、図４及び図５（ｃ）  に示すように、上方押え部材６の挿通片５、５を幅及び厚さ方向に遊びのない状態で摺動する縦に長い内径形状を有している。
【００２０】
この実施例において、案内通路４、４は縦方向に長い溝枠１８、１８を形成し、夫々の上方は上方押え部材６の挿通片５、５を挿入し得るように開口２２（図５（ａ）  参照）を形成してあり、夫々の溝枠１８、１８の上部に２か所、下方に１か所のブリッジ板１９、１９…を形成することによって案内通路４、４を構成してあり、このような構成によって案内通路４、４のブリッジ板１９、１９…以外の部分は解放された通路形状とされている。
【００２１】
また、図３（ａ）  及び図５（ａ）  に示すように、本体３の表面側の上方に案内通路４、４の形成位置に対応して開口部２０、２０が形成され、夫々の開口部２０、２０に弾性片７、７を片持式に形成すると共に、図５（ａ）  に示すように、弾性片７、７の先端には背面側に突出した突起部２１、２１が形成されている。この突起部２１、２１が案内通路４、４に挿入された上方押え部材６の挿通片５、５の表面を押圧することによって該挿通片５、５のスライド動作に摩擦抵抗を生じさせ、該挿通片５、５を所定位置で固定状態に停止させることができる。
【００２２】
一方、図３に示すように、上方押え部材６の両側には所定幅を有してその下方に長い挿通片５、５が形成され、上記のように、これらの挿通片５、５が本体３の両側の案内通路４、４の上部の開口２２、２２から下方に向けてスライド自在に挿入されている。なお、図５（ｂ）  に示すように、夫々の挿通片５、５の下部先端には上方に突出した突起５ａ、５ａが形成され、図５（ｃ）  に示すように、本体側の案内通路４に挿通片５を挿入した状態で上方押え部材６を上方にスライドしたとき、挿通片５の突起５ａが上方の弾性片７の下端に当接することによって該挿通片５の抜け止めを行うようにしている。
【００２３】
さらに、この上方押え部材６の上部には横長の上方押え片９ａが形成されている。この上方押え片９ａの天部には横長であって所定幅の隙間を有する段差１７ａが形成され、上記の下方押え片９ｂの底部に形成された段差１７ｂに対応して、段差の数だけ厚さの異なる表示物を挟持することができる。
【００２４】
上記のような構成によって、上下の押え片９ａ、９ｂで挟持した表示物１０の高さに応じて上方押え部材６をスライドさせると共に該上方押え部材６を所定の停止位置で固定状態に保持することを可能としている。また、上下の押え片９ａ、９ｂの隙間８、８はいずれも左右の方向に解放されているため、表示物１０の横幅にかかわらず大形の表示物１０を保持することが可能である。
【００２５】
なお、図３（ｂ）  に示すように、上方押え部材６の下端と本体の上端とには互いに嵌合する傾斜辺６ｂ、３ｂが形成され、上方押え部材６が最も下方に移動した位置でこれらの傾斜辺６ｂ、３ｂが奇麗な外観を呈した状態で嵌合するようにしている。
【００２６】
上記構成の表示用ホルダー１を使用するには、図７に示すように、表示物１０として雑誌を保持する場合、所定のページを開けた状態で片方のページを背後に折り曲げておき、この雑誌を傾斜状の所定角度に調節固定した本体３の表面に載置し、上方押え部材６を下方に移動すると共に、上下の押え片９ａ、９ｂで雑誌の上下端を挟持する。この状態で上方押え部材６の両側の挿通片５、５は本体３の案内通路４、４にて弾性片７、７で弾性的に押圧され、上記のように雑誌を保持した高さを固定的に保つことができる。
【００２７】
また、本実施例の表示用ホルダー１における本体３の下方押え片９ｂの下部には表示ケース２３の挿入片２４を掛止する挿入穴２５が形成されている。この挿入穴２５は、図５の断面図に示すように、下方押え片９ｂの奥部に貫通させた横長の孔が形成され、図６に示すように、該挿入穴２５の上部の中央と両側付近には下方に突出した突出片２６、２６…と、挿入穴２５の下部２か所に上方に突出した突出片２６、２６が形成されている。
【００２８】
一方、表示ケース２３は、図６（ｂ）  及び（ｃ）  に示すように、調理の説明書等を上方から取り出し可能に収納するポケット形状の収納部２７とその上部に挿入片２４が形成され、該挿入片２４は途中で折曲可能とされると共に、挿入片２４の略中央に嵌合穴２８が形成されている。
【００２９】
このような構成によって、図７に示すように、表示用ホルダー１の挿入穴２５に表示ケース２３の挿入片２４を掛止すると、挿入片２４の嵌合穴２８が挿入穴２５の中央上部の突出片２６に嵌合係止されて該表示ケース２３の脱落を防止すると共に、他の突出片２６、２６…が表示ケース２３の挿入片２４を上下から押さえ付けてぶらつきのない安定した保持状態を保つことができる。
【００３０】
なお、上記の構成において、支持部材としては支柱２を用いてあるが、このような支柱以外の支持部材を用いることも可能であり、支持片１４に他の支持部材として、例えばクリップ等を回動自在に設け、棚或は天井等の所定箇所に取り付けることも可能である。
【００３１】
【発明の効果】
以上説明したように、本発明の表示用ホルダーによれば、支柱等の支持部材に対して本体を縦状または傾斜状に角度調整し、雑誌等の表示物の下端を本体の下方押え片によって挟持すると共に、本体の案内通路に沿ってスライドすることによって高さ調節された上方押え部材の上方押え片によって表示物の上端を挟持することができる。
【００３２】
また、このように表示物を上下の押え片によって保持した状態で、上方押え部材の挿通片は本体の弾性片で弾性的に押圧されたことによって摩擦抵抗を生じ、上記のように表示物を保持した高さを固定的に保つことができる。
【００３３】
また、上方押え片の天部と下方押え片の底部に段差が形成されたことによって、表示物の上端は前記上方押え片または該上方押え片の段差により挟持し、表示物の下端は前記下方押え片または該下方押え片の段差により挟持することで、傾斜状態の本体に載置された表示物を厚さに応じて挟持することが可能となる。
【００３４】
また、本体の下方押え片の下部に表示ケースの挿入片を掛止する挿入穴が形成されたことによって、表示ケースを着脱自在に取り付けることが可能となる。
【００３５】
さらに、本体の下方の挿入穴に突出片が形成され、該突出片が表示ケースの挿入片に設けられた孔部に嵌合されることによって該表示ケースの脱落を防止することが可能となる。
【図面の簡単な説明】
【図１】本発明による表示用ホルダーの全体斜視図である。
【図２】本発明による表示用ホルダーの全体側面図である。
【図３】（ａ）  は本発明による表示用ホルダーの正面図であり、（ｂ）  はその側面図である。
【図４】本発明による表示用ホルダーの背面図である。
【図５】図３のＡ−Ａ線に沿う断面状況を示す図であり、（ａ）  は本発明による表示用ホルダーの本体の縦断面図であり、（ｂ）  は上方押え部材の縦断面図であり、（ｃ）  は表示用ホルダーの本体の案内通路に上方押え部材を挿入した縦断面図である。
【図６】（ａ）  は本発明による表示用ホルダーの挿入穴の部分正面図であり、（ｂ）  は表示用ホルダーの挿入穴に掛止する表示ケースの正面図であり、（ｃ）  は表示ケースの側面図である。
【図７】本発明による表示用ホルダーに所定ページを開けた雑誌を挿着すると共に表示用ホルダーを取り付けた状態を示す全体斜視図である。
【符号の説明】
１…表示用ホルダー
２…支柱
３…本体
４…案内通路
５…挿通片
６…上方押え部材
７…弾性片
８…隙間
９ａ…上方押え片
９ｂ…下方押え片
１０…表示物
１１…支持板
１２…スタンド支柱
１３…ストッパ
１４…支持片
１５…枢着部
１６…蝶ネジ
１７ａ、１７ｂ…段差
１８…溝枠
１９…ブリッジ板
２０…開口部
２１…突起部
２２…上方開口
２３…表示ケース
２４…挿入片
２５…挿入穴
２６…突出片
２７…収納部
２８…嵌合穴
２９…滑止突起
【図１】
0003632070.tif 000002
【図２】
0003632070.tif 000003
【図３】
0003632070.tif 000004
【図４】
0003632070.tif 000005
【図５】
0003632070.tif 000006
【図６】
0003632070.tif 000007
【図７】
0003632070.tif 000008